【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
電子デバイスによってワイヤレスネットワークにおいて通信するための方法であって、
送信機から、第１の変調コーディングスキームを識別するデータを受信することと、
前記第１の変調コーディングスキームを含む前記電子デバイスの特性に基づいて第２の変調コーディングスキームを選択することと、ここで前記第２の変調コーディングスキームを識別する情報は、前記第１の変調コーディングスキームよりも所定の数値Ｎの数量低く、前記第２の変調コーディングスキームは、前記送信機と前記電子デバイスとの実際の送信電力に依存しない、前記送信機と前記電子デバイスとの間の電力インバランスの関数であり、
前記第２の変調コーディングスキームを識別するデータを送信することと、
を備える、方法。
【請求項２】
前記電子デバイスは、前記送信機から前記所定の数値Ｎの数量を受信する、請求項１に記載の方法。
【請求項３】
前記電子デバイスは、アソシエーション要求フレームで前記所定の数値Ｎの数量を受信する、請求項２に記載の方法。
【請求項４】
前記電子デバイスは、アソシエーションの後に送られる管理フレームで、前記所定の数値Ｎの数量を受信する、請求項２に記載の方法。
【請求項５】
前記電子デバイスは、前記所定の数値Ｎの数量を与える、請求項１に記載の方法。
【請求項６】
前記第２の変調コーディングスキームは、所定の数値Ｘの数量を超えない、請求項１に記載の方法。
【請求項７】
前記所定の数値Ｘの数量は、データレートまたは変調コードスキーム順序である、請求項６に記載の方法。
【請求項８】
許容可能な変調コーディングスキームのセットを識別するデータを受信することをさらに備える、請求項１に記載の方法。
【請求項９】
前記許容可能な変調コーディングスキームのセットは、決定された送信電力インバランスに基づく、請求項８に記載の方法。
【請求項１０】
前記電子デバイスの前記特性は、前記電子デバイスのタイプをさらに含み、前記タイプは、前記電子デバイスがアクセスポイントまたはユーザ端末として前記ワイヤレスネットワークにおいて機能するかどうかに基づく、請求項１に記載の方法。
【請求項１１】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、前記ワイヤレスネットワークにおいて通信するかどうかに基づく、請求項１に記載の方法。
【請求項１２】
電子デバイスによってワイヤレスネットワークにおいて通信するための装置であって、
第１の変調コーディングスキームを識別するデータを受信するように構成されたトランシーバと、
前記第１の変調コーディングスキームを含む前記電子デバイスの特性に基づいて第２の変調コーディングスキームを選択するように構成された処理システムと、ここで前記第２の変調コーディングスキームを識別する情報は、前記第１の変調コーディングスキームよりも所定の数値Ｎの数量低く、前記第２の変調コーディングスキームは、送信機と前記電子デバイスとの実際の送信電力とに依存しない、前記送信機と前記電子デバイスとの間の電力インバランスの関数である、
を備え、
前記トランシーバは、前記第２の変調コーディングスキームを識別するデータを送信および／または受信するように構成される、装置。
【請求項１３】
前記電子デバイスは、前記トランシーバから前記所定の数値Ｎの数量を受信するように構成される、請求項１２に記載の装置。
【請求項１４】
前記電子デバイスは、アソシエーション要求フレームで前記所定の数値Ｎの数量を受信するように構成される、請求項１３に記載の装置。
【請求項１５】
前記電子デバイスは、アソシエーションの後に伝送される管理フレームで、前記所定の数値Ｎの数量を受信するように構成される、請求項１３に記載の装置。
【請求項１６】
前記電子デバイスは、前記所定の数値Ｎの数量を与えるように構成される、請求項１２に記載の装置。
【請求項１７】
前記第２の変調コーディングスキームは、所定の数値Ｘの数量を超えない、請求項１２に記載の装置。
【請求項１８】
前記所定の数値Ｘの数量は、データレートまたは変調コードスキーム順序である、請求項１７に記載の装置。
【請求項１９】
前記トランシーバは、許容可能な変調コーディングスキームのセットを識別するデータを受信するように構成される、請求項１２に記載の装置。
【請求項２０】
前記許容可能な変調コーディングスキームのセットは、決定された送信電力インバランスに基づく、請求項１９に記載の装置。
【請求項２１】
前記電子デバイスの前記特性は、前記電子デバイスのタイプをさらに含み、前記タイプは、前記電子デバイスがアクセスポイントまたはユーザ端末として前記ワイヤレスネットワークにおいて機能するかどうかに基づく、請求項１２に記載の装置。
【請求項２２】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、前記ワイヤレスネットワークにおいて通信するかどうかに基づく、請求項１２に記載の装置。
【請求項２３】
電子デバイスによってワイヤレスネットワークにおいて通信するための装置であって、
送信機から、第１の変調コーディングスキームを識別するデータを受信するための手段と、
前記第１の変調コーディングスキームを含む前記電子デバイスの特性に基づいて第２の変調コーディングスキームを選択するための手段と、ここで前記第２の変調コーディングスキームを識別する情報は、前記第１の変調コーディングスキームよりも所定の数値Ｎの数量低く、前記第２の変調コーディングスキームは、前記送信機と前記電子デバイスとの実際の送信電力とに依存しない、前記送信機と前記電子デバイスとの間の電力インバランスの関数であり、
前記第２の変調コーディングスキームを使用して通信するための手段と、
を備える、装置。
【請求項２４】
前記電子デバイスは、前記送信機から前記所定の数値Ｎの数量を受信する、請求項２３に記載の装置。
【請求項２５】
前記電子デバイスは、アソシエーション要求フレームで前記所定の数値Ｎの数量を受信する、請求項２４に記載の装置。
【請求項２６】
前記電子デバイスは、アソシエーションの後に送られる管理フレームで、前記所定の数値Ｎの数量を受信する、請求項２４に記載の装置。
【請求項２７】
前記電子デバイスは、前記所定の数値Ｎの数量を与える、請求項２３に記載の装置。
【請求項２８】
前記第２の変調コーディングスキームは、前記所定の数値Ｎの数量を超えない、請求項２３に記載の装置。
【請求項２９】
前記所定の数値Ｎの数量は、データレートまたは変調コードスキーム順序である、請求項２３に記載の装置。
【請求項３０】
許容可能な変調コーディングスキームのセットを識別するデータを受信するための手段をさらに備える、請求項２３に記載の装置。
【請求項３１】
前記許容可能な変調コーディングスキームのセットは、決定された送信電力インバランスに基づく、請求項３０に記載の装置。
【請求項３２】
前記電子デバイスの前記特性は、前記電子デバイスのタイプをさらに含み、前記タイプは、前記電子デバイスがアクセスポイントまたはユーザ端末として前記ワイヤレスネットワークにおいて機能するかどうかに基づく、請求項２３に記載の装置。
【請求項３３】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、前記ワイヤレスネットワークにおいて通信するかどうかに基づく、請求項２３に記載の装置。
【請求項３４】
コードを備える非一時的なコンピュータ可読媒体であって、前記コードは、実行されるとき、装置に、
送信機から、第１の変調コーディングスキームを識別するデータを受信することと、
前記第１の変調コーディングスキームを含む電子デバイスの特性に基づいて第２の変調コーディングスキームを選択することと、ここで前記第２の変調コーディングスキームを識別する情報は、前記第１の変調コーディングスキームよりも所定の数値Ｎの数量低く、前記第２の変調コーディングスキームは、前記送信機と前記電子デバイスとの実際の送信電力とに依存しない、前記送信機と前記電子デバイスとの間の電力インバランスの関数であり、
前記第２の変調コーディングスキームを識別するデータを送信することと、
を行わせる、非一時的なコンピュータ可読媒体。
【手続補正２】
【補正対象書類名】明細書
【補正対象項目名】０１２４
【補正方法】変更
【補正の内容】
【０１２４】
[00129]  前述の内容は本開示の態様を対象としているけれども、本開示の他のおよびさらなる態様が、その基本的な範囲から逸脱せずに考案されることができ、その範囲は、下記の請求項によって決定される。
以下に、本願出願の当初の特許請求の範囲に記載された発明を付記する。
［Ｃ１］
電子デバイスによってワイヤレスネットワークにおいて通信するための方法であって、
送信機から、第１の変調コーディングスキームを識別するデータを受信することと、
前記第１の変調コーディングスキームを含む前記電子デバイスの特性に基づいて第２の変調コーディングスキームを選択することと、ここで前記第２の変調コーディングスキームを識別する情報は、前記第１の変調コーディングスキームよりも所定の数量低く、
前記第２の変調コーディングスキームを識別するデータを送信することと、
を備える、方法。
［Ｃ２］
第１の変調コーディングスキームを識別するデータを受信することは、
アソシエーションの時間に、フィールド要素で前記送信機の送信電力の指示を受信すること、を備え、
前記所定の数量は、前記送信機の前記指示された送信電力と前記電子デバイスの送信電力との間の差の関数である、Ｃ１に記載の方法。
［Ｃ３］
前記電子デバイスは、前記送信機から前記所定の数量を受信する、Ｃ１に記載の方法。
［Ｃ４］
前記電子デバイスは、アソシエーション要求フレームで前記所定の数量を受信する、Ｃ３に記載の方法。
［Ｃ５］
前記電子デバイスは、アソシエーションの後に送られる管理フレームで、前記所定の数量を受信する、Ｃ３に記載の方法。
［Ｃ６］
前記電子デバイスは、前記所定の数量を与える、Ｃ１に記載の方法。
［Ｃ７］
前記第２の変調コーディングスキームは、所定の数量を超えない、Ｃ１に記載の方法。
［Ｃ８］
前記所定の数量は、データレートまたは変調コードスキーム順序である、Ｃ７に記載の方法。
［Ｃ９］
第１の変調コーディングスキームを識別するデータを受信することは、アソシエーションの時間に、フィールド要素で前記送信機の送信電力の指示を受信することを備え、
前記所定の数量は、前記送信機の前記指示された送信電力と前記電子デバイスの送信電力との間の差の関数である、Ｃ１に記載の方法。
［Ｃ１０］
前記第２の変調コーディングスキームを選択することは、
前記送信機と前記電子デバイスとの間の電力インバランスを決定することと、
前記決定された電力インバランスに基づいて、前記電子デバイスのための許容可能な変調コーディングスキームを決定することと、
前記ワイヤレスデバイスのために前記許容可能な変調コーディングスキームを選択することと、
を備える、Ｃ１に記載の方法。
［Ｃ１１］
許容可能な変調コーディングスキームのセットを識別するデータを受信することをさらに備える、Ｃ１に記載の方法。
［Ｃ１２］
前記許容可能な変調コーディングスキームのセットは、決定された送信電力インバランスに基づく、Ｃ１１に記載の方法。
［Ｃ１３］
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、Ｃ１に記載の方法。
［Ｃ１４］
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、Ｃ１に記載の方法。
［Ｃ１５］
電子デバイスによってワイヤレスネットワークにおいて通信するための装置であって、
第１の変調コーディングスキームを識別するデータを受信するように構成されたトランシーバと、
前記第１の変調コーディングスキームを含む前記電子デバイスの特性に基づいて第２の変調コーディングスキームを選択するように構成された処理システムと、ここで前記第２の変調コーディングスキームを識別する情報は、前記第１の変調コーディングスキームよりも所定の数量低い、
を備え、
前記トランシーバは、前記第２の変調コーディングスキームを識別するデータを送信および／または受信するように構成される、装置。
［Ｃ１６］
前記トランシーバは、送信電力の指示を受信するようにさらに構成され、
前記処理システムは、前記所定の数量を、前記トランシーバの前記指示された送信電力と前記電子デバイスの送信電力との間の差の関数として決定するようにさらに構成される、Ｃ１５に記載の装置。
［Ｃ１７］
前記電子デバイスは、前記トランシーバから前記所定の数量を受信するように構成される、Ｃ１５に記載の装置。
［Ｃ１８］
前記電子デバイスは、アソシエーション要求フレームで前記所定の数量を受信するように構成される、Ｃ１７に記載の装置。
［Ｃ１９］
前記電子デバイスは、アソシエーションの後に伝送される管理フレームで、前記所定の数量を受け取るように構成される、Ｃ１７に記載の装置。
［Ｃ２０］
前記電子デバイスは、前記所定の数量を与えるように構成される、Ｃ１５に記載の装置。
［Ｃ２１］
前記第２の変調コーディングスキームは、所定の数量を超えない、Ｃ１５に記載の装置。
［Ｃ２２］
前記所定の数量は、データレートまたは変調コードスキーム順序である、Ｃ２１に記載の装置。
［Ｃ２３］
前記トランシーバは、アソシエーションの時間に、フィールド要素において送信機の送信電力の指示を受信するようにさらに構成され、
前記処理システムは、前記所定の数量を、前記トランシーバの前記指示された送信電力と前記電子デバイスの送信電力との間の差の関数として決定するようにさらに構成される、
Ｃ１５に記載の装置。
［Ｃ２４］
プロセッサは、
前記トランシーバと前記電子デバイスとの間の電力インバランスを決定し、
前記電力インバランスに基づいて、前記電子デバイスのための許容可能な変調コーディングスキームを決定し、
前記電子デバイスのために前記許容可能な変調コーディングスキームを選択する、
ようにさらに構成される、Ｃ１５に記載の装置。
［Ｃ２５］
前記トランシーバは、許容可能な変調コーディングスキームのセットを識別するデータを受信するように構成される、Ｃ２４に記載の装置。
［Ｃ２６］
前記許容可能な変調コーディングスキームのセットは、決定された送信電力インバランスに基づく、Ｃ２５に記載の装置。
［Ｃ２７］
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、Ｃ１５に記載の装置。
［Ｃ２８］
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、Ｃ１５に記載の装置。
［Ｃ２９］
電子デバイスによってワイヤレスネットワークにおいて通信するための装置であって、
送信機から、第１の変調コーディングスキームを識別するデータを受信するための手段と、
前記第１の変調コーディングスキームを含む前記電子デバイスの特性に基づいて第２の変調コーディングスキームを選択するための手段と、ここで前記第２の変調コーディングを識別する情報は、前記第１の変調コーディングスキームよりも所定の数量低い、
前記第２の変調コーディングスキームを使用して通信するための手段と、
を備える、装置。
［Ｃ３０］
アソシエーションの時間に、フィールド要素において前記送信機の送信電力の指示を受信するための手段をさらに備える、Ｃ２９に記載の装置。
［Ｃ３１］
前記電子デバイスは、前記送信機から前記所定の数量を受信する、Ｃ２９に記載の装置。
［Ｃ３２］
前記電子デバイスは、アソシエーション要求フレームで前記所定の数量を受け取る、Ｃ３１に記載の装置。
［Ｃ３３］
前記電子デバイスは、アソシエーションの後に伝送される管理フレームで、前記所定の数量を受信する、Ｃ３１に記載の装置。
［Ｃ３４］
前記電子デバイスは、前記所定の数量を与える、Ｃ２９に記載の装置。
［Ｃ３５］
前記第２の変調コーディングスキームは、前記所定の数量を超えない、Ｃ２９に記載の装置。
［Ｃ３６］
前記所定の数量は、データレートまたは変調コードスキーム順序である、Ｃ２９に記載の装置。
［Ｃ３７］
第１の変調コーディングスキームを識別するデータを受信するための手段は、アソシエーションの時間に、フィールド要素で前記送信機の送信電力の指示を受信することを備え、
前記所定の数量は、前記送信機の前記指示された送信電力と前記電子デバイスの送信電力との間の差の関数である、Ｃ２９に記載の装置。
［Ｃ３８］
前記第２の変調コーディングスキームを選択するための手段は、
前記送信機と前記電子デバイスとの間の電力インバランスを決定することと、
前記決定された電力インバランスに基づいて、前記電子デバイスのための許容可能な変調コーディングスキームを決定することと、
ワイヤレスデバイスのために前記許容可能な変調コーディングスキームを選択することと、
を備える、Ｃ２９に記載の装置。
［Ｃ３９］
許容可能な変調コーディングスキームのセットを識別するデータを受信するための手段をさらに備える、Ｃ２９に記載の装置。
［Ｃ４０］
前記許容可能な変調コーディングスキームのセットは、決定された送信電力インバランスに基づく、Ｃ３９に記載の装置。
［Ｃ４１］
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、Ｃ２９に記載の装置。
［Ｃ４２］
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、Ｃ２９に記載の装置。
［Ｃ４３］
コードを備える非一時的なコンピュータ可読媒体であって、前記コードは、実行される、装置に、
送信機から、第１の変調コーディングスキームを識別するデータを受信することと、
前記第１の変調コーディングスキームを含む電子デバイスの特性に基づいて第２の変調コーディングスキームを選択することと、ここで前記第２の変調コーディングスキームを識別する情報は、前記第１の変調コーディングスキームよりも所定の数量低く、
前記第２の変調コーディングスキームを識別するデータを送信することと、
を行わせる、非一時的なコンピュータ可読媒体。